(57)【要約】【課題】運搬時に平面状となって、組立て時に一面を接着するのみで容易に組立てが可能で、商品の陳列を可能とし、しかも丈夫な紙製組立箱を提供する。【解決手段】角形の箱底１１に一方の対角を結ぶ切れ目２１と、他方の対角を実質的に４５度方向にそれぞれ通る直線状の折れ目２２とが形成され、箱底１１の一部３０に裏板２０が固着され、切れ目２１で分離された箱底１１の他部と裏板２０とを接合する接着部３２が箱底１１又は裏板２０に設けられた紙製組立箱１０において、商品を陳列する複数の貫通孔３７が形成された載置部３８を中央に有する一枚の板からなる載置板３６を備え、載置板３６の先端部には箱底１１から載置板３６を所定の高さに支持する第１の脚板部４１が折り曲げ可能に設けられ、基端部は箱底１１の周辺に設けられた側板の一部１３に固定され、載置部３８の基端が側板の一部１３に対して折り曲げ可能に設けられている。【選択図】　　　　図１
2004075139.tif 000002
【特許請求の範囲】
【請求項１】
角形の箱底に一方の対角を結ぶ切れ目と、他方の対角を実質的に４５度方向にそれぞれ通る直線状の折れ目とが形成され、前記切れ目と前記折れ目とで囲まれる箱底の一部に裏板が固着され、しかも組立てにあっては前記切れ目で分離された箱底の他部と前記裏板とを接合する接着部が前記箱底及び前記裏板のいずれか一方に設けられた紙製組立箱において、
商品を陳列する複数の貫通孔が形成された載置部を中央に有する一枚の板からなる載置板を備え、該載置板の先端部には前記箱底から該載置板を所定の高さに支持する第１の脚板部が折り曲げ可能に設けられ、基端部は前記箱底の周辺に設けられた側板の一部に固定され、前記載置部の基端が前記側板の一部に対して折り曲げ可能に設けられていることを特徴とする紙製組立箱。
【請求項２】
請求項１記載の紙製組立箱において、前記載置板の両側には第２の脚板部がそれぞれ設けられていることを特徴とする紙製組立箱。
【請求項３】
角形の箱底に一方の対角を結ぶ切れ目と、他方の対角を実質的に４５度方向にそれぞれ通る直線状の折れ目とが形成され、前記切れ目と前記折れ目とで囲まれる箱底の一部に裏板が固着され、しかも組立てにあっては前記切れ目で分離された箱底の他部と前記裏板とを接合する接着部が前記箱底及び前記裏板のいずれか一方に設けられた紙製組立箱において、
商品を載置可能な一枚の板からなって、基端側から先端側へかけて幅方向に平行かつ複数の折れ目が形成され、しかも前記箱底の周辺に設けられた側板の一部に基端部が固定される載置板が設けられ、組立て時には前記載置板の折れ目によって形成される谷部の底が前記箱底に当接し、しかも前記谷部が前記商品の陳列棚となることを特徴とする紙製組立箱。
【請求項４】
請求項３記載の紙製組立箱において、前記載置板の折れ目は山状折れ目と谷状折れ目とで構成され、組立て時には前記載置板の断面が鋸歯状となることを特徴とする紙製組立箱。
【請求項５】
請求項１〜４のいずれか１項に記載の紙製組立箱において、前記裏板に設けられた蓋板の両側に位置する側板の上端部には、組立て時に前記蓋板の落込みを防止する落込み防止板が折り曲げ可能にそれぞれ設けられていることを特徴とする紙製組立箱。
【発明の詳細な説明】
【０００１】
【発明の属する技術分野】
本発明は、収納状態が平面状となって運送時に嵩張らず、しかも使用時に組立てが容易で丈夫な紙製組立箱に関する。
【０００２】
【従来の技術】
近年、包装箱の高級化から、周囲に一定の幅のある枠縁を有する枠縁付紙箱が大量に出回っている。従来の枠縁付紙箱のほとんどは、箱の底板の周囲に一定の幅を有する枠縁付きの側板をホットメルト等の接着剤により接合して組立てられていた。しかし、この箱は完成された（組立てた）状態で搬送、保管されていたので、嵩張り、大量の箱の保管あるいは運送が困難であるという問題があった。
そこで、本発明者は、先に実開平３−２９４２９号公報に示されるように、側板を備えた底板に一方の対角方向に切れ目を、他方の対角にはその中央を通る折れ目を形成し、搬送時には折り曲げて平面状となし、組立て時には底板の裏面に裏板を接合させて固定状態の箱となす紙製組立箱を提案した。
【０００３】
【発明が解決しようとする課題】
しかしながら、上記した紙製組立箱には、以下の問題がある。
紙製組立箱は、本来商品を入れるために使用されるものであるが、商品の陳列を可能にする載置板が予め設けられていないので、紙製組立箱を組立てた後、この紙製組立箱に載置板を新たに設ける必要があり、組立て時における作業性が悪かった。
また、この紙製組立箱の箱底に蓋板を設け、組立てた紙製組立箱の内部に商品を入れて紙製組立箱を積重ねた場合、下側に配置された紙製組立箱の蓋板は、上方に積載された商品の重量によって箱内部へ落込み、蓋板が変形して外観形状が悪くなるという問題があった。これを防止するため、ある程度の厚みを備えた側板を有する紙製組立箱を製造して、蓋板の両端部を側板の上端に確実に載置させることもできるが、前記した紙製組立箱と比較して、組立て前の箱の展開形状が複雑になり、また組立て時における作業性も複雑になるという問題もあった。
本発明はかかる事情に鑑みてなされたもので、運搬時に平面状となって、組立て時に一面を接着するのみで容易に組立てが可能で、商品の陳列を可能とし、しかも丈夫な紙製組立箱を提供することを目的とする。
【０００４】
【課題を解決するための手段】
前記目的に沿う第１の発明に係る紙製組立箱は、角形の箱底に一方の対角を結ぶ切れ目と、他方の対角を実質的に４５度方向にそれぞれ通る直線状の折れ目とが形成され、切れ目と折れ目とで囲まれる箱底の一部に裏板が固着され、しかも組立てにあっては切れ目で分離された箱底の他部と裏板とを接合する接着部が箱底及び裏板のいずれか一方に設けられた紙製組立箱において、商品を陳列する複数の貫通孔が形成された載置部を中央に有する一枚の板からなる載置板を備え、載置板の先端部には箱底から載置板を所定の高さに支持する第１の脚板部が折り曲げ可能に設けられ、基端部は箱底の周辺に設けられた側板の一部（一つ）に固定され、載置部の基端が側板の一部に対して折り曲げ可能に設けられている。ここで、紙製組立箱の紙とは、パルプ等を原料とする天然紙の他、合成樹脂素材等を原料とする合成紙も含む。このように、商品の陳列を行うための載置板を、予め紙製組立箱に設けているので、紙製組立箱の組立て時において、従来のように、載置板を新たに設けることなく容易に組立てることができる。
ここで、第１の発明に係る紙製組立箱において、載置板の両側には第２の脚板部がそれぞれ設けられていることが好ましい。これにより、載置板の両側にそれぞれ設けられた第２の脚板部を、載置板に対して略直角に曲げることで、載置板に商品を載置した場合でも、商品の重みで載置板が変形することを抑制、更には防止できる。
【０００５】
前記目的に沿う第２の発明に係る紙製組立箱は、角形の箱底に一方の対角を結ぶ切れ目と、他方の対角を実質的に４５度方向にそれぞれ通る直線状の折れ目とが形成され、切れ目と折れ目とで囲まれる箱底の一部に裏板が固着され、しかも組立てにあっては切れ目で分離された箱底の他部と裏板とを接合する接着部が箱底及び裏板のいずれか一方に設けられた紙製組立箱において、商品を載置可能な一枚の板からなって、基端側から先端側へかけて幅方向に平行かつ複数の折れ目が形成され、しかも箱底の周辺に設けられた側板の一部（一つ）に基端部が固定される載置板が設けられ、組立て時には載置板の折れ目によって形成される谷部の底が箱底に当接し、しかも谷部が商品の陳列棚となる。このように、商品の陳列を行うための載置板を、予め紙製組立箱に設けているので、紙製組立箱の組立て時において、従来のように、載置板を新たに設けることなく容易に組立てることができる。
ここで、第２の発明に係る紙製組立箱において、載置板の折れ目は山状折れ目と谷状折れ目とで構成され、組立て時には載置板の断面が鋸歯状となることが好ましい。このように、容易な構成で商品を載置できる。
第１、第２の発明に係る紙製組立箱において、裏板に設けられた蓋板の両側に位置する側板の上端部には、組立て時に蓋板の落込みを防止する落込み防止板が折り曲げ可能にそれぞれ設けられていることが好ましい。これにより、載置板に商品を載置し、紙製組立箱を積重ねた場合においても、商品の重量によって蓋板が箱内部へ落込むことを防止できる。
【０００６】
【発明の実施の形態】
続いて、添付した図面を参照しつつ、本発明を具体化した実施の形態につき説明し、本発明の理解に供する。
ここに、図１は本発明の第１の実施の形態に係る紙製組立箱の組立て状態を示す斜視図、図２は同紙製組立箱を構成する内箱の展開平面図、図３（Ａ）、（Ｂ）はそれぞれ同紙製組立箱を構成する外巻板の展開平面図、側面図、図４は同紙製組立箱を平面状になした場合の平面図、図５（Ａ）、（Ｂ）はそれぞれ同紙製組立箱を構成する型板の展開平面図、側面図、図６は同紙製組立箱を構成する載置板の展開平面図、図７及び図８は同紙製組立箱の組立て後の状態を示す斜視図、図９（Ａ）、（Ｂ）はそれぞれ同紙製組立箱の第１、第２の変形例に係る載置板の展開平面図、図１０（Ａ）、（Ｂ）はそれぞれ本発明の第２の実施の形態に係る紙製組立箱を構成する載置板の展開平面図、組立て時における載置板の側断面図である。
【０００７】
図１〜図８に示すように、本発明の第１の実施の形態に係る紙製組立箱１０は、長方形（角形の一例）の箱底１１及びその周辺に設けられた各側板１２〜１５を有する内箱１６と、各側板１２〜１５に外側から貼着された外巻板１７と、箱底１１の裏面側に貼着され、連結板１８及び蓋板１９が折り曲げ可能に連接された裏板２０とを有している。以下、詳しく説明する。
【０００８】
図１、図２に示すように、箱底１１の一方の対角には、この対角を結ぶ直線である対角線に切れ目２１が、また他方の対角には、この対角を実質的に４５度方向にそれぞれ通る直線状の折れ目２２がそれぞれ形成されている。また、組立て後、蓋板１９を閉じた際に、蓋板１９の両側に位置する側板１２、１４の上端部には、組立て時に蓋板１９の落込みを防止する落込み防止板２３が折り曲げ可能にそれぞれ設けられている。
内箱１６の各側板１２〜１５には、図１、図３（Ａ）、（Ｂ）、図４に示すように、箱状に組立てた状態で、各側板１２〜１５よりやや高さの高い外巻板１７が、外側から貼着されている。なお外巻板１７の長手方向には、各側板１２〜１５の長さより僅かに長い間隔毎に、折れ目２４がそれぞれ形成されている。
【０００９】
そして、図１、図２、図５（Ａ）、（Ｂ）に示すように、箱底１１の裏面は、覆板２５、連結板２６、裏板２０、連結板１８、蓋板１９、連結板２７、及び挿入板２８が順次連接された比較的厚い（例えば、０．２〜０．５ｍｍ）型板２９の裏板２０の部分と接合している。即ち、切れ目２１と折れ目２２とで囲まれる箱底１１の一部３０（図２の斜線部）の裏面側と、この一部３０と対応する裏板２０の部分（図５の斜線部）を、例えば接着剤によって固着することによって、箱底１１と型板２９が分離しないようになっている。なお、型板２９の長手方向には、覆板２５から挿入板２８の各板をそれぞれ区分する折れ目３１が形成されている。なお、外巻板１７及び型板２９の厚みは、それぞれ比較的厚いため、それぞれの折れ目２４、３１を二重に形成しているが、１本に形成することも可能である。
【００１０】
図１、図５（Ａ）に示すように、箱底１１の一部３０と切れ目２１によって分離された箱底１１の他部に対応する裏板２０の部分で、しかも型板２９の幅方向端部には、型板２９の長手方向に渡って接着部の一例である両面接着テープ３２の裏面側が貼着されている。この両面接着テープ３２の表面には、通常粘着防止シート（フィルム）３３が貼着され、使用にあっては、この粘着防止シート３３を剥離することによって、箱底１１との接合が行われるようになっている。なお、接着部は箱底の他部に対応する裏板のどの部分に設けてもよい。また、この裏板２０の連結板２６側には、形状が曲線の一部となった挿入口３４が設けられている。
また、挿入板２８には、連結板２７と反対側端部に、挿入口３４に挿入可能な突出した挿入部３５が設けられている。
これにより、紙製組立箱１０の組立て時においては、挿入口３４に挿入部３５を差し込むことで、箱内部を蓋板１９が被さった状態に維持できる。
【００１１】
図１、図４、図６に示すように、紙製組立箱１０は、商品を載置可能な一枚の板からなる載置板３６を有している。この載置板３６は、商品の一部を嵌入させて陳列する円形となった複数（この実施の形態では６個）の貫通孔３７が設けられた載置部３８を有している。貫通孔３７の配置位置は、整列させることなくランダムであってもよい。載置板３６の基端部には、載置部３８の基端にある折れ目３９を介して折り曲げ可能に連接された貼着板部４０が設けられている。この貼着板部４０は、側板１３の高さ方向中央部（例えば、側板の高さの１／３〜２／３）に、側板１３の幅方向に渡って固着されている。また、載置板３６の先端部には、載置部３８を箱底１１から所定の高さに支持するための第１の脚板部４１が、折れ目４２を介して折り曲げ可能に設けられている。なお、貼着板部は、載置部３８の他の部分に設け、他の側板１２、１４、１５のいずれか１つに固着することも可能である。
そして、載置板３６の両側には、第１の脚部４１と実質的に同じ高さとなる第２の脚板部４３が、折れ目４４を介して載置部３８に対しそれぞれ折り曲げ可能に設けられている。
ここで、第１の脚板部４１、第２の脚板部４３の高さをそれぞれ調整し、載置部３８の基端の高さを載置部３８の先端の高さより高くしたり、また低くすることで、載置部３８を箱底１１に対して傾斜させることも可能である。
【００１２】
このように構成することで、紙製組立箱１０を運搬あるいは保管する場合には、図４に示すように、周囲に外巻板１７が貼着された内箱１６を、切れ目２１の部分で開き、折れ目２２の部分で折り曲げ、全体を押し潰して、箱底１１を略Ｗ字状とし、裏板２０が箱底１１の一部３０に貼着されている型板２９を広げて平面状とし、運搬、保管に便利なようにする。
【００１３】
続いて、紙製組立箱１０の組立て方法について説明する。
図４に示すように、平面状となった紙製組立箱１０から、まず、二重に折りたたまれた状態にある外巻板１７の上側部分を引っ張って広げて、長方形の枠状にする。これにより、切り目２１で分離され折り目２２で折り曲げられて押し潰された状態にある箱底１１の切り目２１が閉じられ、長方形に戻って全体が箱状となる。そこで、粘着防止シート３３を剥がして、両面接着テープ３２の表面を露出させ、箱底１１の裏面を裏板２０に押し付けて、裏板２０と箱底１１とを貼着する。
次に、載置板３６の第１の脚板部４１、第２の脚板部４３を、載置部３８に対してそれぞれ折れ目４２、４４に沿って下向きに略直角に曲げ、更に、載置部３８を貼着板部４０に対して（即ち、貼着板部４０が貼着されている側板１３に対して）折れ目３９に沿って略直角に曲げると共に、載置板３６を内箱１６内に装入する。このとき、第１の脚板部４１、第２の脚板部４３は、それぞれ箱底１１に当接させる。
【００１４】
そして、側板１２、１４の上端部に設けられた落込み防止板２３を、箱内部に向かって各側板１２、１４に対して略直角になるように曲げる。
図７、図８に示すように、型板２９の各折れ目３１を、箱状となった内箱１６側にそれぞれ折り曲げ、連結板２６を立てて覆板２５で内箱１６の開口部の一部を覆う。更に、連結板１８を立てて蓋板１９を内箱１６に被せ、連結板２７を、連結板２６を外側から覆うように立て、挿入板２８の挿入部３５を裏板２０の挿入口３４に挿入することによって、紙製組立箱１０の組立てが完成する。なお、型板２９の各折れ目３１は、平面状の段階で予め折りくせをつけておくことも可能である。また、側板１２〜１５の内側、載置板３６の表面に装飾用の紙を貼着することは自由である。
【００１５】
続いて、第１、第２の変形例に係る載置板５０、５１について説明するが、図９（Ａ）、（Ｂ）に示すように、載置板５０、５１は、載置部５２、５３以外の形状が前記した載置板３６と同一形状であるため、同一部材には同一の符号を付し、詳しい説明を省略する。
図９（Ａ）に示すように、載置部５２には円形となった複数（この実施の形態においては６個）の貫通孔５４が設けられている。この貫通孔５４の円周上には折り曲げ可能な折れ目５５が形成されると共に、その中央部には円形の開口部５６が設けられている。なお、貫通孔５４の中心から折れ目５５へかけては、等角度に複数（この実施の形態では８本）の切れ目５７が形成されている。
これにより、貫通孔５４に商品の一部を嵌入させた場合、折れ目５５に沿って商品受け部５８が載置部５２の下方へ折れ曲がるので、例えば商品が軟らかいものの場合でも、商品の表面に貫通孔５４の跡がつくことや、商品の変形を予め抑制、更には防止できる。
また、図９（Ｂ）に示すように、載置部５３に設けられた複数の貫通孔５９の形状は、正方形の各角部に丸みを設けた形状となっている。
なお、載置部に設ける貫通孔の形状は、商品の形状に応じて、例えば、楕円形、卵形、凹形、凸形、多角形等とすることも可能である。
【００１６】
次に、本発明の第２の実施の形態に係る紙製組立箱６０について説明するが、この紙製組立箱６０は、本発明の第１の実施の形態に係る紙製組立箱１０とは、載置板６１の形状のみが異なるため、同一部材には同一の符号を付し、詳しい説明を省略する。
図１０（Ａ）、（Ｂ）に示すように、載置板６１は、商品を載置可能な一枚の板からなって、基端側から先端側へかけて幅方向に平行かつ複数の山状折れ目６２と谷状折れ目６３が交互に、しかもそれぞれ等間隔に形成されている。なお、この山状折れ目６２と谷状折れ目６３が折れ目を形成している。載置部６１の基端部には、最も基端側に位置する山状折れ目６２を介して折り曲げ可能に連接された貼着板部６４が設けられている。この貼着板部６４は、側板１３の高さ方向中央部（例えば、側板の高さの１／３〜２／３）に、側板１３の幅方向に渡って固着されている。なお、貼着板部は、載置部の他の部分に設け、他の側板１２、１４、１５のいずれか１つに固着することも可能である。
【００１７】
このように構成することで、紙製組立箱６０の組立て時においては、載置板６１の複数の山状折れ目６２と谷状折れ目６３をそれぞれ折って、載置板６１の先端を箱底１１と側板１５との折り目部分に当接させる。このとき、山状折れ目６２と谷状折れ目６３によって形成される谷部６５の底が箱底１１に当接する。これにより、載置板６１の断面が鋸歯状となり、谷部６５が商品の陳列棚となる。
ここでは、折れ目を型板２９の長手方向に直交する方向に複数形成したが、型板２９の長手方向に平行に複数形成することも可能である。
【００１８】
以上、本発明を、実施の形態を参照して説明してきたが、本発明は何ら上記した実施の形態に記載の構成に限定されるものではなく、特許請求の範囲に記載されている事項の範囲内で考えられるその他の実施の形態や変形例も含むものである。例えば、前記したそれぞれの実施の形態や変形例の一部又は全部を組合せて本発明の紙製組立箱を構成する場合にも本発明は適用される。
前記実施の形態においては、箱底の形状が長方形となった場合について説明したが、他の角形である正方形の場合も適用できる。この場合、箱底に形成される折れ目は、他方の対角を結ぶ直線状の折れ目となる。
また、前記実施の形態においては、予め裏板に両面接着テープの裏面側を接着し、使用にあっては、箱底の他部と裏板とを接着する場合について説明したが、予め箱底の他部に両面接着テープの裏面側を接着し、箱底の他部と裏板とを接着することも可能である。また、接着部として、表面に必要な場合弱接着性の粘着防止シートが貼着された感圧接着部を使用することも可能であり、使用にあっては、この粘着防止シートを剥離することによって、箱底又は裏板との接着が行われるようにすることもできる。
【００１９】
そして、前記実施の形態においては、裏板に連結板を介して蓋板が連接された場合について説明した。しかし、裏板と分離した蓋を別に設けた紙製組立箱とすることも可能であり、この場合、裏板以外の部分は不要となり、裏板のみが箱底の裏面に貼着されることになる。
更に、前記実施の形態においては、箱底の周辺に設けられた側板の一部に、載置板の基端部に設けられた貼着板部を固着した場合について説明した。しかし、側板の一部に載置板の基端部を連接し、側板と載置板とを一体的にすることも勿論可能である。
【００２０】
【発明の効果】
請求項１〜５記載の紙製組立箱においては、商品の陳列を行うための載置板を、予め紙製組立箱に設けているので、紙製組立箱の組立て時において、従来のように、載置板を新たに設けることなく容易に組立てることができる。これにより、商品を載置するまでの組立て作業を容易に行うことができるので、作業性が良好である。
特に、請求項２記載の紙製組立箱においては、載置板の両側にそれぞれ設けられた第２の脚板部を、載置板に対して略直角に曲げることで、載置板に商品を載置した場合、商品の重みで載置板が変形することを抑制、更には防止できる。これにより、見栄えのよい載置板を備えた紙製組立箱を提供できる。
【００２１】
請求項３及びこれに従属する請求項４、５記載の紙製組立箱においては、載置板に商品の陳列棚を形成できるので、貫通孔に載置できない形状、例えば、棒状等の商品の陳列も容易に行うことができる。
請求項４記載の紙製組立箱においては、容易な構成で商品を載置できるので、経済的である。
請求項５記載の紙製組立箱においては、載置板に商品を載置し、紙製組立箱を積重ねた場合でも、商品の重量によって蓋板が箱内部へ落込むことを防止できる。これにより、商品を装入した後に紙製組立箱を搬送する場合でも、蓋板の変形を抑制、更には防止できるので、外観形状が良好である。また、従来のように、側板の厚みを厚くすることなく蓋板の箱内部への落込みを防止できるので、紙製組立箱の形状を単純にできる。
【図面の簡単な説明】
【図１】本発明の第１の実施の形態に係る紙製組立箱の組立て状態を示す斜視図である。
【図２】同紙製組立箱を構成する内箱の展開平面図である。
【図３】（Ａ）、（Ｂ）はそれぞれ同紙製組立箱を構成する外巻板の展開平面図、側面図である。
【図４】同紙製組立箱を平面状になした場合の平面図である。
【図５】（Ａ）、（Ｂ）はそれぞれ同紙製組立箱を構成する型板の展開平面図、側面図である。
【図６】同紙製組立箱を構成する載置板の展開平面図である。
【図７】同紙製組立箱の組立て後の状態を示す斜視図である。
【図８】同紙製組立箱の組立て後の状態を示す斜視図である。
【図９】（Ａ）、（Ｂ）はそれぞれ同紙製組立箱の第１、第２の変形例に係る載置板の展開平面図である。
【図１０】（Ａ）、（Ｂ）はそれぞれ本発明の第２の実施の形態に係る紙製組立箱を構成する載置板の展開平面図、組立て時における載置板の側断面図である。
【符号の説明】
１０：紙製組立箱、１１：箱底、１２〜１５：側板、１６：内箱、１７：外巻板、１８：連結板、１９：蓋板、２０：裏板、２１：切れ目、２２：折れ目、２３：落込み防止板、２４：折れ目、２５：覆板、２６：連結板、２７：連結板、２８：挿入板、２９：型板、３０：一部、３１：折れ目、３２：両面接着テープ（接着部）、３３：粘着防止シート、３４：挿入口、３５：挿入部、３６：載置板、３７：貫通孔、３８：載置部、３９：折れ目、４０：貼着板部、４１：第１の脚板部、４２：折れ目、４３：第２の脚板部、４４：折れ目、５０、５１：載置板、５２、５３：載置部、５４：貫通孔、５５：折れ目、５６：開口部、５７：切れ目、５８：商品受け部、５９：貫通孔、６０：紙製組立箱、６１：載置板、６２：山状折れ目、６３：谷状折れ目、６４：貼着板部、６５：谷部
【図１】
2004075139.tif 000003
【図２】
2004075139.tif 000004
【図３】
2004075139.tif 000005
【図４】
2004075139.tif 000006
【図５】
2004075139.tif 000007
【図６】
2004075139.tif 000008
【図７】
2004075139.tif 000009
【図８】
2004075139.tif 000010
【図９】
2004075139.tif 000011
【図１０】
2004075139.tif 000012